(57)【要約】簡単な構造でスムーズに薬液を供給でき、製造、組付けを低減できるとともに、口腔内に挿入される当該部位の外径を小さくすることで使い勝手も向上され、衛生上の問題も生じない口腔清掃具及びそれに用いるキャップを提供することをテーマとし、このテーマを達成すべく、内容物を収納する容器体に突設され、前記内容物を吐出するための吐出口を先端に有したノズル部材と、清掃用ブラシを設けたブラシ部を先端に有し、前記ノズル部材の吐出口が前記清掃用ブラシ近傍にブラシ部外方から臨む位置に、当該ノズル部材を外側面より保持するための保持手段を有したブラシ部材とよりなる口腔清掃具を構成し、前記清掃用ブラシを開口端部より軸方向に沿って受け入れる筒状のキャップ本体と、前記開口端部より側方に突出し、前記ブラシ部材の首部を間に受け入れ挟持する一対の保持片と、前記首部に装着されているノズル部材の吐出口とブラシ部外側面との隙間に挿入され、該吐出口を塞ぐ蓋片と、よりなるキャップを構成する。
2004039209.tif 000002
【特許請求の範囲】
【請求項１】
内容物を収納する容器体に突設され、前記内容物を吐出するための吐出口を先端に有したノズル部材と、
清掃用ブラシを設けたブラシ部を先端に有し、前記ノズル部材の吐出口が前記清掃用ブラシ近傍にブラシ部外方から臨む位置に、当該ノズル部材を外側面より保持するための保持手段を有したブラシ部材と、
から構成してなることを特徴とする口腔清掃具。
【請求項２】
前記ブラシ部材が、清掃用ブラシを片持ち状に突設したブラシ部を先端に有し、前記ノズル部材の吐出口が前記清掃用ブラシ基端側のブラシ部外側面に臨む位置に、当該ノズル部材を外側面より保持するための保持手段を設けてなる請求項１記載の口腔清掃具。
【請求項３】
前記ブラシ部材が、二股状に分岐した一対の支持腕に清掃用ブラシ両端部を支持させてなるブラシ部を先端に有し、前記ノズル部材の吐出口が前記清掃用ブラシの側面近傍に臨む位置に、当該ノズル部材を外側面より保持するための保持手段を設けてなる請求項１記載の口腔清掃具。
【請求項４】
前記ブラシ部材の保持手段が、ノズル部材の基端部又は容器体の肩部に係合し、前記ブラシ部材に対する当該ノズル部材の先端側への移動を規制する段部を設けてなる請求項１〜３の何れか１項に記載の口腔清掃具。
【請求項５】
前記ブラシ部材の基端側に前記容器体の外面に沿った把持部を延設してなる請求項１〜４の何れか１項に記載の口腔清掃具。
【請求項６】
内容物を収納する容器体に突設され、前記内容物を吐出するための吐出口を先端に有したノズル部材と、清掃用ブラシを片持ち状に突設したブラシ部を先端に有し、前記ノズル部材の吐出口が前記清掃用ブラシ基端側のブラシ部外側面に臨む位置に、当該ノズル部材を外側面より保持するための保持手段を有したブラシ部材とより構成される口腔清掃具における、前記清掃用ブラシに装着されるキャップであって、
前記清掃用ブラシを開口端部より軸方向に沿って受け入れる筒状のキャップ本体と、前記開口端部より側方に突出し、前記ブラシ部材の首部を間に受け入れ挟持する一対の保持片と、前記首部に装着されているノズル部材の吐出口とブラシ部外側面との隙間に挿入され、該吐出口を塞ぐ蓋片と、より構成してなるキャップ。
【請求項７】
前記保持片の上端間に、前記ノズル部材を首部の内周面側に保持する上部押さえ板を渡設するとともに、該上部押さえ板の前記隙間を臨む位置に、前記蓋片を突設してなる請求項６記載のキャップ。
【請求項８】
前記蓋片に、前記吐出口に嵌入される部分凸球面部を設けてなる請求項６又は７記載のキャップ。
【発明の詳細な説明】
【技術分野】  本発明は、歯の隙間の清掃や舌の清掃等に用いる口腔清掃具に係わり、更に詳しくは、清掃中に清掃用ブラシに薬液等を供給できる口腔清掃具及びそれに用いるキャップに関する。
【背景技術】  この種の口腔清掃具として、日本国実用新案登録出願公開昭和６３年第１９４６３３号公報には、弾性を有する材料で中空の把手を形成してその空洞に薬液類を収容すると共に、清掃用ブラシ基部を前記把手一端開口部に嵌脱かつ密封可能に嵌着する一方、前記ブラシ基部と把手空洞とを連通する薬液供給小孔を穿設して、その一端をブラシ基部に開口させたものが開示されている。
また、日本国特許出願公開平成９年第２３８７４８号公報には、同じくブラシ基部を埋没する挿通孔を形成した合成樹脂製の柄を設け、この柄の内部に前記挿通孔と連通する室を形成し、この室に薬液を充填したものが開示されている。
また、日本国特許出願公開平成７年第１６３４２２号公報には、同じくブラシ基部を流路の開口部を密封しないように化学的結合、接着、溶接、鋳ぐるみ、プラズマエッチング、圧着、或いは機械的接合によって剛性又は半剛性アームに固定することによって、管状アームの内壁と当該ブラシ基部との間にブラシへの液体通路となる間隙部を設けたものが開示されている。
これら従来の口腔清掃具は、何れも把持部となる柄、或いはこれに装着されるアームに歯間ブラシを埋設する挿通孔を設け、該挿通孔を通じて柄内部の薬液をブラシ基部に供給するものであるが、このようなブラシ装着用の挿通孔を通じてスムーズに薬液を供給するためには、上記第１６３４２２号公報記載のごとく複雑な構造が必要となり、製造・組付けコストが上昇するといった問題があった。
また、当該挿通孔には歯間ブラシより清掃時の抵抗力がそのまま作用するため強度を維持すべく肉厚を大きくする必要があり、材料コストが嵩むとともに口腔内に挿入される当該部位の外径が大きくなり使い勝手が悪いといった問題もあった。
更に、このような構造では挿通孔を容易に洗浄できないことから薬液等が残り、衛生上も好ましくないものであった。
そこで、本発明が前述の状況に鑑み、解決しようとするところは、簡単な構造でスムーズに薬液を供給でき、製造、組付けを低減できるとともに、口腔内に挿入される当該部位の外径を小さくすることで使い勝手も向上され、衛生上の問題も生じない口腔清掃具及びそれに用いるキャップを提供する点にある。
【発明の開示】
本発明の口腔清掃具は、内容物を収納する容器体に突設され、前記内容物を吐出するための吐出口を先端に有したノズル部材と、清掃用ブラシを設けたブラシ部を先端に有し、前記ノズル部材の吐出口が前記清掃用ブラシ近傍にブラシ部外方から臨む位置に、当該ノズル部材を外側面より保持するための保持手段を有したブラシ部材とより構成してなることを特徴とする。
ここで、前記ブラシ部材が、清掃用ブラシを片持ち状に突設したブラシ部を先端に有し、前記ノズル部材の吐出口が前記清掃用ブラシ基端側のブラシ部外側面に臨む位置に、当該ノズル部材を外側面より保持するための保持手段を設けてなるものが好ましい。
また、前記ブラシ部材が、二股状に分岐した一対の支持腕に清掃用ブラシ両端部を支持させてなるブラシ部を先端に有し、前記ノズル部材の吐出口が前記清掃用ブラシの側面近傍に臨む位置に、当該ノズル部材を外側面より保持するための保持手段を設けてなるものも好ましい。
また、前記ブラシ部材の保持手段が、ノズル部材の基端部又は容器体の肩部に係合し、前記ブラシ部材に対する当該ノズル部材の先端側への移動を規制する段部を設けてなるものが好ましい。
更に、前記ブラシ部材の基端側に前記容器体の外面に沿った把持部を延設してなるものが好ましい。
また、本発明のキャップは、内容物を収納する容器体に突設され、前記内容物を吐出するための吐出口を先端に有したノズル部材と、清掃用ブラシを片持ち状に突設したブラシ部を先端に有し、前記ノズル部材の吐出口が前記清掃用ブラシ基端側のブラシ部外側面に臨む位置に、当該ノズル部材を外側面より保持するための保持手段を有したブラシ部材とより構成される口腔清掃具における、前記清掃用ブラシに装着されるキャップであって、前記清掃用ブラシを開口端部より軸方向に沿って受け入れる筒状のキャップ本体と、前記開口端部より側方に突出し、前記ブラシ部材の首部を間に受け入れ挟持する一対の保持片と、前記首部に装着されているノズル部材の吐出口とブラシ部外側面との隙間に挿入され、該吐出口を塞ぐ蓋片と、より構成したものである。
ここで、前記保持片の上端間に、前記ノズル部材を首部の内周面側に保持する上部押さえ板を渡設するとともに、該上部押さえ板の前記隙間を臨む位置に、前記蓋片を突設してなるものが好ましい。
また、前記蓋片に、前記吐出口に嵌入される部分凸球面部を設けてなるものが好ましい。
【図面の簡単な説明】  第１図は、本発明の代表的実施形態に係る口腔清掃具を示す斜視図、第２図は同じく口腔清掃具の要部を示す説明図、第３図（ａ）はブラシ部材の内周面側からみた平面図、（ｂ）は同じく側面図、第４図（ａ）はノズル部材の平面図、（ｂ）は同じく側面図、（ｃ）は同じくノズル部材の基端側から見た正面図、第５図はノズル部材を突設した容器体にブラシ部材を装着する様子を示す説明図、第６図は本発明の第２実施形態に係る口腔清掃具を示す斜視図、第７図は同じく口腔清掃具の要部を示す説明図、第８図（ａ）はブラシ部材の内周面側からみた平面図、（ｂ）は同じく側面図、第９図（ａ）はノズル部材の平面図、（ｂ）は同じく側面図、第１０図はノズル部材を突設した容器体にブラシ部材を装着する様子を示す説明図、第１１図は本発明の第３実施形態に係る口腔清掃具を示し、（ａ）はブラシ部材を内周面側からみた平面図、（ｂ）は同じく側面図、（ｃ）はＡ−Ａ断面図、（ｄ）は基端側からみた正面図、第１２図はノズル部材を突設した容器体にブラシ部材を装着するとともに清掃ブラシにキャップを装着する様子を示す説明図、第１３図は口腔清掃具にキャップを装着した要部を示す説明図、第１４図は本発明の代表的実施形態に係るキャップを示し、（ａ）は保持片の突出方向から見た正面図、（ｂ）は側面図、（ｃ）は平面図、（ｄ）は底面図、（ｅ）はＢ−Ｂ断面図、第１５図（ａ）及び（ｂ）は本発明の第４実施形態に係る口腔清掃具の要部を示す説明図。
【発明を実施するための最良の形態】  次に、本発明の実施形態を添付図面に基づき詳細に説明する。
第１図は、本発明の第１実施形態に係る口腔清掃具の全体構成を示す斜視図であり、第１図〜第５図は第１実施形態、第６図〜第１０図は第２実施形態、第１１図は第３実施形態を示し、図中符号１は口腔清掃具、２はノズル部材、３はブラシ部材、４は容器体、５は保持手段、６はブラシをそれぞれ示している。
本発明の口腔清掃具１は、第１図に示すように、内容物を収納する容器体４に突設され、前記内容物を吐出するための吐出口２０を先端に有したノズル部材２と、清掃用ブラシ６０を設けたブラシ部６を先端に有し、前記ノズル部材２に外側面から装着されるブラシ部材３とより構成されており、前記ブラシ部材３には、第２図に示すように、前記ノズル部材２の吐出口２０が前記清掃用ブラシ６０近傍にブラシ部６の外方から臨む位置に、当該ノズル部材２を外側面より保持するための保持手段５が設けられている。
前記ブラシ部６は、より詳しくは清掃用ブラシ６０を片持ち状に突設して構成され、前記ノズル部材２の吐出口２０は、前記保持手段５により前記清掃用ブラシ基端側のブラシ部外側面に臨む位置に保持されている。
前記容器体４は、二枚のシート材を対面させるとともに当該シート材の対向する各一端中央部４０に後述するノズル部材基端の被着部２３を挟持させ、左右側端縁及び当該ノズル部材２を設けた中央部４０を含む一端縁を熱溶着して密封することにより他端が開口した袋体を形成した後、該開口より内容物を充填して当該他端縁を熱溶着してなるソフトチューブが用いられ、前記ノズル部材２を熱溶着した一端側の両端部に肩部４１、４１が形成されている。
尚、本発明の容器体はこれに何ら限定されず、例えば別途成形したノズル部材を螺合等により装着できる口部を備えた各種容器体を用いることもでき、また、前記シート材の一端縁を全てノズル部材基端の被着部に溶着してなるもの等、肩部が形成されない容器体を用いることも可能である。
また、ノズル部材２及びブラシ部材３の清掃用ブラシ６０を除く本体部７は、それぞれ合成樹脂材料を用いて一体的に射出成形されており、好ましくは、前記ノズル部材２の成形にはポリエチレン樹脂、ブラシ部材３の本体部７の成形にはポリエチレン樹脂又はポリプロピレン樹脂が用いられる。ここで、合成樹脂材料以外に合成ゴム材料や金属材料を用いて作製したものであってもよく、また、本例のノズル部材２は容器体４とは別に成形され、該容器体４の成形のときに溶着されるものであるが、本発明はこれに限らず、合成樹脂材料により容器体と一体成形されるものであってもよい。
ブラシ部材３は、第３図（ａ）、（ｂ）にも示すように、前記ノズル部材２の吐出口２０が臨む先端に清掃用ブラシ６０が突設されており、その基端側にはノズル部材２に装着した際、該ノズル部材２の外周面２１に沿って当着する内周面３０が設けられている。
前記清掃用ブラシ６０は、従来の清掃用ブラシと同様、径方向に多数のフィラメントを挟持させたワイヤを捻じることで成形したもの等が用いられ、当該ワイヤ基端をノズル部材２の先端部に熱融着して固定されている。
前記内周面３０を挟んだ本体部７の左右側端部には、それぞれ前記ワイヤ基端を埋設支持しているノズル部材先端の包埋部６１に連続して、同じくノズル部材２の外周面２１を半周を越えて抱持する一対の保持腕３１、３１が突設されている。これら保持腕３１、３１の内面と前記内周面３０には、後述のノズル部材２のリング状突部２４に対応して該リング状突部２４を係止するための係合溝３４が周方向に沿って単又は複数形設されており、これら保持腕３１、３１によって先端側から挿通したノズル部材２を保持する保持手段５が構成されている。
ここで、一対の保持腕３１、３１における前記包埋部６１の外側面近傍を除く先端を互いに連結し、前記ノズル部材の全周に渡って保持する略円筒形の保持筒を構成することも好ましく、これによりノズル部材２への保持をより強固で安定したものとすることができる。本実施形態では、前記保持腕３１、３１によりノズル部材２の吐出口２０は前記包埋部６１の外側面６１ａに臨む位置に保持され、吐出した内容物は、当該外側面６１ａに形成されている凹溝６２により清掃用ブラシ６０に確実に案内され付着することとなる。
前記ブラシ部材３の前記保持腕３１、３１より更に基端側には、前記容器体４の外周面４２に沿った形状の把持部３２が延設されている。このように容器体４を覆う把持部３２を把持すれば、内容物が減少して当該容器体４が変形し易くなっても当該口腔清掃具１を確りと把持できるとともに、当該ブラシ部材３のノズル部材２からの脱離が防止される。
尚、この把持部３２を容器体４の下端部まで延び、該下端部に係止されるものとすれば、該容器体４及びノズル部材２がブラシ部材３に対して下方に移動し、間隔Ｓが開いてしまうといった不都合を未然に回避できる点で好ましく、また、把持部を当該下端部で折り畳み可能に構成し、容器体の全体を包んでしまうものであっても良く、その場合、本例の如く容器体４を圧縮して内容物を絞り出すための開口を設けることが好ましい。尚、本発明ではこのような把持部３２を必ずしも設ける必要はない。
容器本体の肩部４１に対応する部位には、第５図に示すように、同じくノズル部材２を保持する保持手段５として、前記肩部４１に係合し、前記ブラシ部材３に対する当該ノズル部材２の先端側への移動を規制する段部３３が設けられている。前記段部３３は、ノズル部材３の外周面に当接する内周面３０を形成した内周壁とその基端側に延びる前記把持部３２の内周壁との境界部の段差により形成されており、この段部３３と肩部４１は、使用者に把持部３２を握ることにより強固に係合し、清掃作業時においても後述の間隔Ｓが確実に維持されることとなる。
また、後述のノズル部材２基端の突起部２５に対応する部位には、同じくノズル部材２を保持するための保持手段５として、前記突起部２５に係合する凹部３５が設けられている。この凹部３５は、前記境界部の段部３３に開口して段差状に形成されており、前記突起部２５を基端側から受け入れ係合することで、同じく前記ブラシ部材３に対する当該ノズル部材２の先端側への移動が規制されることになる。
ノズル部材２は、第４図（ａ）〜（ｃ）に示すように、上述の係合溝３４に係止されるリング状突部２４が外周面２１に周設されており、先端には吐出口２０、基端側には前記容器体４に溶着される被着部２３及び前記凹部３５に係合する突起部２５がそれぞれ設けられている。
この突起部２５はノズル部材２の先端側への移動を規制するものであり、前記リング状突部２４は主にノズル部材２の基端側への移動を規制するものであり、このようにして位置決めされたノズル部材２の吐出口２０と前記包埋部６１の外側面６１ａとの間の間隔Ｓは、広すぎると付着する前に落下してしまう状況が生じ、特に粘性の低い液状の薬剤の場合は間隔が広いと清掃用ブラシに付かない虞が高い。即ち、比較的粘性の低い薬剤の場合、前記間隔Ｓは一部接触又は約３ｍｍ以内、より好ましくは約２ｍｍ以内に設定され、比較的粘性が高い薬剤の場合、前記間隔Ｓをより広くできるが、好ましくは約４〜５ｍｍ以内に設定される。
また、ノズル部材２の少なくとも前記保持腕３１、３１により抱持される部分より吐出口２０に至る部位は、内径及び外径が小さく設定されている。これは、従来の一体型の口腔清掃具と異なりノズル部材とは別体で構成したブラシ部材３に清掃時の抵抗力が作用し、ノズル部材２には直接大きな力は作用せず、当該ノズル部材２に強い曲げ強度が不用となった結果、肉厚をより小さくできたのであり、結果として口腔内に入る部位を細く構成でき、清掃作業が容易となるのである。即ち、外径は口腔内作業を効率行う点では小さい方が良いが、内径は上記の比較的粘度の高い薬剤の場合は小さすぎると流通が阻害される虞があり、この場合は多少大きくしておく必要がある。
次に、本発明の第２実施形態を第６図〜第１０図に基づき説明する。
本実施形態の口腔清掃具１Ａは、第６図に示すように、ブラシ部材３Ａに、ノズル部材２Ａの吐出口２０が清掃用ブラシ６０の突出した基端部側面６０ａに臨む位置に当該ノズル部材２Ａを保持するための保持手段５が設けられている。
第８図及び第１０図にも示すように、ブラシ部材３Ａの内周面３０を挟んだ本体部７の左右側端部には、ノズル部材２Ａの先端部位を除く外周面２１を抱持する側面視略台形状の一対の保持腕３１、３１が突設されており、該保持腕３１、３１がそれぞれ後述のノズル部材２Ａの外周面２１に形成した係合溝２２、２２に係合することで当該ノズル部材２Ａを保持する保持手段５が構成されている。
ノズル部材２Ａは、第９図（ａ）、（ｂ）に示すように、上述の保持腕３１、３１を受け入れる被保持部としての係合溝２２が外周面２１に形設され、先端には吐出口２０、基端には前記容器体４に溶着される被着部２３がそれぞれ設けられている。
ノズル部材２の吐出口２０と前記清掃用ブラシ６０基端部のブラシ軸側面６０ａとの間には、第７図に示すように、前記保持手段５により間隔Ｓが設定される。この間隔Ｓは、上述の第１実施形態と同様の理由から、比較的粘性の低い薬剤の場合、前記間隔Ｓは約３ｍｍ以内、より好ましくは約２ｍｍ以内に設定され、比較的粘性が高い薬剤の場合、前記間隔Ｓをより広くできるが、好ましくは約４〜５ｍｍ以内に設定される。
尚、この間隔Ｓを無くし、ノズル部材２Ａの吐出口２０をブラシ軸側面６０ａに接触させておくことも勿論可能である。
その他の構造は、基本的には第１実施形態と同じであるので、同一構造には同一符号を付してその説明を省略する。
次に、本発明の第３実施形態を第１１図〜第１３図に基づき説明する。
本実施形態の口腔清掃具１Ｂは、第１１図及び第１３図に示すように、ブラシ部材３Ｂ先端の包埋部６１の位置が清掃用ブラシ６０突出方向と反対側に移動され、当該包埋部の突出量を少なく設定したものであり、その分、本体部７は当該反対方向に湾曲した形状を呈している。このように包埋部６１の突出量を抑えると、該ブラシ部材３Ｂに保持されるノズル部材２Ｂの吐出口２０から清掃用ブラシ６０に至る距離が縮まることとなり、吐出した内容物が外側面６１ａに形成されている凹溝６２を伝って清掃用ブラシ６０により確実に付着することとなる。
位置決めされた吐出口２０と外側面６１ａとの間の間隔Ｓは、上述の第１実施形態と同様、比較的粘性の低い薬剤の場合、前記間隔Ｓは一部接触又は約３ｍｍ以内、より好ましくは約２ｍｍ以内に設定され、比較的粘性が高い薬剤の場合、前記間隔Ｓをより広くできるが、好ましくは約４〜５ｍｍ以内に設定される。
また、包埋部６１により支持される清掃用ブラシ６０の突出角度も、上記第１実施形態ではブラシ部材３Ｂの軸方向に対して直角の方向から先端側へ約２０度傾斜させた角度に設定されていたが、本実施形態では前記直角の方向から先端側へ約５度傾斜させた角度とされ、より直角に近い角度に設定されている。これにより吐出された内容物が垂れることなく清掃用ブラシ６０を先端側に向けて確実に伝っていくこととなり、下向きに出すとき薬剤が乗りやすいといった効果を奏し、また、操作しやすいといった利点もある。
また、ブラシ部材３Ｂの把持部３２は、容器体４の下端部まで延びた寸法に設定されており、把持しやすいといった利点の他、容器体４に対して当該ブラシ部材３Ｂが安定保持されることとなる。
凹部３５に係合されるノズル部材２Ｂの突起部２５は、第１２図にも示すように、上述の第１実施形態のものと比べて軸方向により長く設定されており、これにより本口腔清掃具１Ｂを把持する際、すべり止めとしてより有効に機能することから指先で摘むための摘み部とすることができ、また、そのように機能することがユーザにより明確に分かることとなり、間違えて容器体４自体を摘んでしまうことを未然に防止するといった効果をも有している。
また、前記突起部２５を受け入れる凹部３５もこれに応じて軸方向に長く設定されており、前記突起部２５に対応する前記凹部３５と反対側の外周部分には、平らな摘み面３７が部分的に形成されるとともに該摘み面３７上に横長な突部３８が軸方向に複数突設され、上記突起部２５とともに摘み部として機能している。
尚、本実施形態のブラシ部３Ｂでは、上記第１実施形態における段部３３の代わりに傾斜壁３９が形成され、前記ノズル部材２Ｂの突起部２５を前記凹部３５内に案内するための案内面として機能し、ノズル部材２Ｂとブラシ部材３Ｂがよりスムーズに合着できるように構成されている。
その他の構造は、基本的には第１実施形態と同じであるので、同一構造には同一符号を付してその説明を省略する。
次に、本発明に係るキャップについて、第１２図〜第１４図に基づき説明する。
尚、本発明に係るキャップ８は、上記第１〜第３実施形態で例示したように、内容物を収納する容器体に突設され、前記内容物を吐出するための吐出口を先端に有したノズル部材と、清掃用ブラシを片持ち状に突設したブラシ部を先端に有し、前記ノズル部材の吐出口が前記清掃用ブラシ基端側のブラシ部外側面に臨む位置に、当該ノズル部材を外側面より保持するための保持手段を有したブラシ部材とより構成される本発明の口腔清掃具の清掃用ブラシに装着されるものであり、以下の説明においては、上記第３実施形態の口腔清掃具１Ｂに適用した例を説明するが、第１実施形態や第２実施形態は勿論のこと、その他の形態にも同様に適用でき、キャップ各部の寸法はこれら適用する口腔清掃具の寸法等に応じて適宜設定される。
本発明に係るキャップ８は、第１２図及び第１３図に示すように、清掃用ブラシ６０を開口端部８０ａより軸方向に沿って受け入れる筒状のキャップ本体８０と、前記開口端部８０ａより側方に突出し、前記ブラシ部材３Ｂの首部７０を間に受け入れ挟持する一対の保持片８１、８１と、前記首部７０に装着されているノズル部材２Ｂの吐出口２０とブラシ部外側面６１ａとの隙間に挿入され、該吐出口２０を塞ぐ蓋片８２と、より構成されている。本例ではポリプロピレンを用いて一体成形されているが、その他の素材で構成してもよい。
キャップ本体８０は、基端側の開口端部８０ａから先端側に向けて次第に縮径する内周面を有し、ブラシ部材３Ｂの清掃用ブラシ６０及び包埋部６１を十分な余剰空間を保持して覆うことができる筒状の部材であり、基端側の開口端部８０ａより突出した保持片８１、８１間の空間に開口する切欠溝８０ｂが設けられ、該切欠溝８０ｂを介して保持片８１、８１間の首部受け入れ空間がキャップ本体８０の内部空間に連通している。
各保持片８１間の距離は前記首部７０の幅寸法に設定され、対向する内面側には、前記首部７０の外周面に係止される突条部８１ａが設けられている。このように保持片８１により首部７０を保持することで、キャップ本体８０には十分な余剰空間を保持しつつスリムなブラシ部材３Ｂに装着可能とされているのである。
また、前記保持片の上端８１ｂ、８１ｂ間に、前記ノズル部材を首部７０の内周面３０側に保持するための上部押さえ板８３が渡設されるとともに、該上部押さえ板８３における前記吐出口２０と外側面６１ａとの隙間を臨む位置に前記蓋片８２が突設されている。本例では、このように一対の保持片８１、８１と上部押さえ板８３により首部外周面とノズル部材２Ｂを囲む略コ字状の保持手段が構成されているが、前記上部押さえ板８３は無くてもよく、その場合には例えばキャップ本体８０に形成した切欠溝８０ｂに直接蓋片を突設すればよい。
前記蓋片８２は、前記上部押さえ板８３に片持ち状に突設された板状の部材であり、吐出口に嵌入される部分凸球面部８４が設けられており、当該蓋片８２が前記隙間に挿入することにより該部分凸球面部８４が吐出口２０に嵌り込むことになる。このような蓋片８２により容器体内容物の漏れ及び乾燥を防止できる。尚、本例では、長期保存用として、別途第１２図に示すキャップ９が用いられる。該キャップ９は、使用前には吐出口２０に分割可能に一体成形されていて、使用時に分割することで吐出口２０が開口するように設けられており、上下に１８０°反転させて凹部９０を吐出口２０に嵌合することで再封可能となっている。
キャップ本体８０の前記上部押さえ板８３の上側部位には、通孔８５が形成され、内部空間の通気性を維持して使用後の清掃用ブラシ６０の乾燥を促進している。
次に、本発明の第４実施形態を第１５図に基づき説明する。
本実施形態の口腔清掃具１Ｃは、第１５図に示すように、ブラシ部材３Ｃの先端において、二股状に分岐した一対の支持腕３６、３６により清掃用ブラシ６０の両端部６０ｂを支持させてなるブラシ部６Ｃが設けられている。より詳しくは、前記清掃用ブラシ６０は各支持腕３６の先端部３６ａにより回転可能に枢支されており、清掃の際には、当該口腔清掃具１Ｃの前後移動に応じて被清掃面上を前記清掃用ブラシ６０が回転することとなり、主に舌用の清掃具として好適に用いられる。
前記支持腕３６、３６の基端側には、上述の第１実施形態と同様、ノズル部材２Ｃに装着した際に該ノズル部材２Ｃの外周面２１に沿って当着する内周面３０が設けられており、該内周面３０を挟んだ左右側端部には、保持手段５として同じくノズル部材２Ｃの外周面２１を半周を越えて抱持する一対の保持腕３１、３１が突設されている。また、ノズル部材２Ｃには同じくリング状突部２４が外周面２１に周設されており、該リング状突部２４が上記支持腕３６が分岐している前記保持腕３１先端の縁部３１ａに係止されることで、当該ノズル部材２Ｃの基端側への移動が規制されている。
このように、前記保持腕３１、３１を介してブラシ部材３Ｃに保持されたノズル部材２Ｃの先端部位は、前記ブラシ部材３Ｃの支持腕３６、３６間に突出し、その吐出口２０が前記清掃用ブラシ６０の側面近傍に臨む位置に保持されている。
前記支持腕３６、３６は、それぞれ途中部にて同一の側方へ略１１０°屈曲した略くの字状に形成されており、ノズル部材２Ｃの吐出口２０を当該支持腕３６、３６の屈曲部３６ｂを結ぶ線分近傍に位置させることにより、各支持腕３６の先端部３６ａに枢支された前記清掃用ブラシ６０を舌の上で移動させる際、その上方位置に開口する前記吐出口２０より内容物が滴下され、前記清掃用ブラシ６０に内容物が確実に付着することとなる。
その他の構造は、基本的には第１実施形態と同じであるので、同一構造には同一符号を付してその説明を省略する。
【産業上の利用可能性】  本発明の口腔清掃具によれば、清掃用ブラシを設けたブラシ部材とは別にノズル部材を構成し、該ブラシ部材の清掃用ブラシにブラシ部外方から薬液等の内容物を供給するので、ノズルとブラシを一体構造した従来の口腔清掃具に比べて構造を簡単にしつつ確実且つスムーズに内容物が供給され、衛生上の問題も何ら生じない。
また、ノズル部材には、清掃時のブラシからの抵抗力が直接作用しないので、ノズル部材自体に従来の如き支持強度を備える必要がなく、その外径を小さく抑え、口腔内での使い勝手を著しく向上できるのであり、口腔内清掃しながら片手で清掃用ブラシに内容物を塗布できるとともに従来の清掃用ブラシと同等の使用感を維持できる。
また、前記ブラシ部材が、清掃用ブラシを片持ち状に突設したブラシ部を先端に有し、前記ノズル部材の吐出口が前記清掃用ブラシ基端側のブラシ部外側面に臨む位置に、当該ノズル部材を外側面より保持するための保持手段を設けたので、前記清掃用ブラシに内容物を塗布しつつ特に歯間清掃を効率よく行うことができる。
また、前記ブラシ部材が、二股状に分岐した一対の支持腕に清掃用ブラシ両端部を支持させてなるブラシ部を先端に有し、前記ノズル部材の吐出口が前記清掃用ブラシの側面近傍に臨む位置に、当該ノズル部材を外側面より保持するための保持手段を設けたので、同じく清掃用ブラシに内容物を塗布しつつ特に舌清掃を効率よく行うことができる。
また、前記ブラシ部材の保持手段として、ノズル部材の基端部又は容器体の肩部に係合し、前記ブラシ部材に対する当該ノズル部材の先端側への移動を規制する段部を設けたので、ノズル部の吐出口と清掃用ブラシ基端部側面との間隔がより確実に維持される。
また、前記ブラシ部材の基端側に前記容器体の外面に沿った把持部を延設したので、内容物が減少して容器体が変形し易くなっても当該把持部により口腔清掃具を確りと把持できるとともに、当該ブラシ部材のノズル部材からの脱離が防止される。
また、本発明のキャップによれば、携帯時又は保管時の清掃用ブラシの損傷や汚れの付着を防止できるとともに、保持片で首部を保持することでキャップ本体には十分な余剰空間を保持しつつスリムなブラシ部材に装着可能とされ、さらに、吐出口を塞ぐ蓋片により内容物の漏れ出しや乾燥、雑菌の付着等を防止できる。
また、前記保持片の上端間に、前記ノズル部材を首部の内周面側に保持する上部押さえ板を渡設するとともに、該上部押さえ板の前記隙間を臨む位置に、前記蓋片を突設したので、前記上部押さえ板によりノズル部材の脱落を防止できるとともに、上記内容物の漏れ出しや乾燥、雑菌の付着等をより効果的に防止できる。
また、前記蓋片に、吐出口に嵌入される部分凸球面部を設けたので、吐出口をより確実に封止して乾燥や雑菌付着をより効果的に防止できる。
【図１】
2004039209.tif 000003
【図２】
2004039209.tif 000004
【図３】
2004039209.tif 000005
【図４】
2004039209.tif 000006
【図５】
2004039209.tif 000007
【図６】
2004039209.tif 000008
【図７】
2004039209.tif 000009
【図８】
2004039209.tif 000010
【図９】
2004039209.tif 000011
【図１０】
2004039209.tif 000012
【図１１】
2004039209.tif 000013
【図１２】
2004039209.tif 000014
【図１３】
2004039209.tif 000015
【図１４】
2004039209.tif 000016
【図１５】
2004039209.tif 000017
【国際調査報告】
2004039209.tif 000018
2004039209.tif 000019
2004039209.tif 000020
2004039209.tif 000021